(57)【要約】【課題】電線束または他の非円形部材をパネル穴に挿通するための圧潰可能なグロメットを提供すること。【解決手段】支持パネルを貫通して延びる穴の中に据え付けられる、該支持パネルに部材を挿通するための一体成型エラストマー製グロメットは、細長い管状部分を有しており、該管状部分が、該管状部分の一端にある入口から該管状部分の反対端にある出口へと延びる通路を画定する。傘状部分は、該管状部分を取り囲み、該管状部分の外側に開口端のアコースティックチャンバを形成するように該管状部分に一体に取り付けられた前端を有する。傘状部分の後端にある据付部分は、前側据付フランジを含んでおり、傘状部分には、前側据付フランジを支持パネル内の小さめの穴に挿入するのを容易にするための、ほぼ均一な厚さで周方向に波状の形をした圧潰可能な壁が含まれる。【選択図】図８
2006217788.tif 000002
【特許請求の範囲】
【請求項１】
支持パネルを貫通して延びる穴の中に据え付けられる、前記支持パネルに部材を挿通するための一体成型エラストマー製グロメットであって、
細長い管状部分を含んでおり、前記管状部分が、前記管状部分の一端にある入口から前記管状部分の反対端にある出口へと延びる通路を画定しており、前記グロメットがさらに、
前記管状部分を取り囲む傘状部分を含んでおり、前記傘状部分が、前記管状部分の外側に開口端のアコースティックチャンバを形成するように前記管状部分に一体に取り付けられた前端を有しており、前記グロメットがさらに、
前記傘状部分の後端にある、前側据付フランジを含む据付部分を含んでおり、
前記傘状部分には、前記前側据付フランジを支持パネル内の小さめの穴に挿入するのを容易にするための、ほぼ均一な厚さで周方向に波状の形をした圧潰可能な壁が含まれるグロメット。
【請求項２】
前記通路を貫通する非円形部材である部材と組み合わせた、請求項１に記載のグロメット。
【請求項３】
前記通路にチャンバが含まれており、前記チャンバが、前記チャンバ内で電線束をポッティング処理するために封止材で満たされる、前記通路を貫通する前記電線束である部材および前記封止材と組み合わせた、請求項１に記載のグロメット。
【請求項４】
前記チャンバが最小断面積を有しており、前記電線束が前記チャンバの前記最小断面積の４０％以下の断面積を有する、請求項３に記載のグロメット。
【請求項５】
支持パネルを貫通して延びる穴の中に据え付けられる、前記支持パネルに部材を挿通するための一体成型エラストマー製グロメットであって、
細長い管状部分を含んでおり、前記管状部分が、前記管状部分の一端にある入口から前記管状部分の反対端にある出口へと延びる通路を画定しており、前記グロメットがさらに、
前記管状部分を取り囲む圧潰可能な鐘形壁を含んでおり、前記鐘形壁が、前記管状部分の外側に開口端のアコースティックチャンバを形成するように前記管状部分に一体に取り付けられた前端を有しており、前記グロメットがさらに、
前記鐘形壁の後端にある、前側据付フランジを含んだ据付部分を含んでおり、
前記圧潰可能な鐘形壁が、前記前側据付フランジを支持パネル内の小さめの穴に挿入するのを容易にするための、ほぼ均一な厚さで周方向に波状の形をした部分を有するグロメット。
【請求項６】
支持パネルを貫通して延びる穴の中に据え付けられる、前記支持パネルに部材を挿通するための一体成型エラストマー製グロメットであって、
細長い管状部分を含んでおり、前記管状部分が、前記管状部分の一端にある入口から前記管状部分の反対端にある出口へと延びる通路を画定しており、
前記細長い管状部分が、前記通路の前側チャンバを画定する、前記管状部分の前記反対端にある封止スリーブを有しており、前記通路がさらに、より大きい中間通路と、入口を含んださらに大きい後側通路とを含んでおり、前記グロメットがさらに、
前記中間チャンバを取り囲む圧潰可能な鐘形壁を含んでおり、前記鐘形壁が、前記管状部分の外側に開口端のアコースティックチャンバを形成するように前記管状部分の前記封止スリーブの後端に一体に取り付けられた前端を有しており、前記グロメットがさらに、
前記鐘形壁の後端にある、前側据付フランジと後側据付フランジとを含んだ据付部分を含んでおり、
前記後側据付フランジが、前記管状部分の外側に径方向に離隔された内径部を有しており、
前記圧潰可能な鐘形壁が、前記前側据付フランジを支持パネル内の小さめの穴に挿入するのを容易にするための、ほぼ均一な厚さで周方向に波状の形をした部分を有するグロメット。
【請求項７】
前記通路を貫通する非円形部材である部材と組み合わせた、請求項６に記載のグロメット。
【請求項８】
前記通路を貫通する電線束である部材、ならびに前記中間チャンバ内で前記電線束をポッティング処理するために前記中間チャンバを満たす封止材と組み合わせた、請求項６に記載のグロメット。
【請求項９】
前記中間チャンバが最小断面積を有しており、前記電線束が前記中間チャンバの前記最小断面積の４０％以下の断面積を有する、請求項８に記載のグロメット。
【請求項１０】
前記後側据付フランジの前記内径部から軸方向後方に延びる、直径の両端にある複数の薄肉弓形フラップが含まれる、請求項８に記載のグロメット。
【請求項１１】
前記複数のフラップが、前記アコースティックチャンバを封止し、かつ／または据付穴での前記グロメットの保持力を増大させるために、前記管状部分に取り付けられる、請求項１０に記載のグロメット。
【請求項１２】
前記複数のフラップがテープによって前記管状部分に取り付けられる、請求項１１に記載のグロメット。
【発明の詳細な説明】
【技術分野】
【０００１】
本発明は、パネル内の穴を貫通する部材の周りを封止（ｓｅａｌ）するグロメット、より詳細には圧潰可能なグロメットに関する。
【背景技術】
【０００２】
パネル内の穴を貫通するグロメットであって、パネルの両側に係合する該グロメットの前側および後側フランジが協働することによって該パネルに固定されるグロメットが広く知られている。パネル穴は、必然的に、グロメットをパネルに固定する据付フランジよりも小さい直径を有する。例えば、１９９８年３月３１日にＪｏｈｎ  Ｏ．Ｗｒｉｇｈｔに付与された米国特許第５７３２４４０号を参照されたい。
【０００３】
このようなグロメットに関わる目下の課題は、前側据付フランジがパネル穴を貫通してパネルの裏側に係合するようにグロメットを押して該グロメットをいくらかパネル穴に挿通するのに必要な挿入力を低減し、また同時に、該グロメットが押されてパネル穴に挿通された後の前側据付フランジによる十分な保持を保証することである。ゆえに、グロメットを押して該グロメットをいくらかパネル穴に挿通するのに必要な挿入力が比較的小さく、また同時に、グロメットが引き戻されてパネル穴から出るのを防ぐ比較的高い保持力を提供する、グロメットが必要とされている。
【０００４】
‘４４０号特許に開示されているようなグロメットに関わる他の課題は、グロメットを貫通する電線束の場合など、部材が円形でないときに、グロメットを貫通する部材の周りを封止することである。Ｗｒｉｇｈｔの‘４４０号特許は、この問題に対処していないが、ポッティング（ｐｏｔｔｉｎｇ）法を用いて電線束などの非円形部材の周りを封止することが一般に知られている。例えば、１９８１年９月１５日にＷａｒｒｅｎ  Ｐｅａｃｅ，Ｊｒ．らに付与された米国特許第４２８９９２４号を参照されたい。
【０００５】
２００２年６月１４日の日本公開特許、特開２００２−１７１６４４、特開２００２−１７１６４５、特開２００２−１７１６４６、および特開２００２−１７１６４７は、主張によれば、前側据付フランジへと至る圧潰可能な鐘形壁を備えるようにグロメットを設計することによって、パネル穴内にグロメットを据え付けるのに必要な挿入力を低減するグロメットを開示している。その圧潰可能な鐘形壁は、外側の陥凹部を有する薄肉部によって接合された、外側の複数の放射状厚肉リブを特徴とする。その圧潰可能な鐘形壁は、また、薄肉部と薄肉部との間に内部の放射状リブを有する。さらに、そのグロメットは、該グロメットをいくらかパネル穴に挿入したときの鐘形壁の圧潰を促進するために、後側据付フランジ後方に２つの部品に分割される径方向壁およびスリーブを有する。
【特許文献１】米国特許第５７３２４４０号
【特許文献２】米国特許第４２８９９２４号
【特許文献３】特開２００２−１７１６４４
【特許文献４】特開２００２−１７１６４５
【特許文献５】特開２００２−１７１６４６
【特許文献６】特開２００２−１７１６４７
【発明の開示】
【発明が解決しようとする課題】
【０００６】
該日本公開特許に開示のグロメットは、圧潰可能な鐘形壁の形状が複雑であるので成型が困難である。さらに、該日本公開特許に開示のグロメットは、鐘形壁内側の大きな内部空間ならびに後側据付フランジ後方の分割した径方向壁およびスリーブの理由から、ポッティング法によって電線束または他の非円形部材を封止するには適していない。
【課題を解決するための手段】
【０００７】
支持パネルを貫通して延びる穴の中に据え付けられる、該支持パネルに部材を挿通するための一体成型エラストマー製グロメットは、細長い管状部分を含んでおり、該管状部分が、該管状部分の一端にある入口から該管状部分の反対端にある出口へと延びる通路を画定する。傘状部分は、該管状部分を取り囲み、該管状部分の外側に開口端のアコースティックチャンバ（ａｃｏｕｓｔｉｃ  ｃｈａｍｂｅｒ）を形成するように該管状部分に一体に取り付けられた前端を有する。傘状部分の後端にある据付部分は、前側据付フランジを含む。傘状部分には、前側据付フランジを支持パネル内の小さめの穴に挿入するのを容易にするための、ほぼ均一な厚さで周方向に波状の形をした圧潰可能な壁が含まれる。
【０００８】
本発明は、グロメットを押して該グロメットをいくらかパネル穴に挿通するのに必要な挿入力が比較的小さく、また同時に、グロメットが引き戻されてパネル穴から出るのを妨げるために比較的高い保持力を提供する、電線束または他の非円形部材をパネル穴に挿通するための圧潰可能なグロメットを提供する。
【０００９】
この圧潰可能なグロメットは、単純な形状であり、したがって成型が比較的容易で経済的である。該グロメットが、また、経済的なポッティング法によってグロメットを貫通する電線束または他の非円形部材を封止するように成形されることが好ましい。
【発明を実施するための最良の形態】
【００１０】
ここで図面を参照すると、本発明は、図８に示した、支持パネル１４を貫通して延びる穴１２の中に据え付けられる、該支持パネル内の穴に電線束１６を挿通するための圧潰可能な一体成型エラストマー製グロメット１０で具現化される。グロメット１０は、一端に、電線束１６のための通路２２を画定する細長い管状部分２０の一部を成す封止スリーブ１８を含む。通路２２は、一端に、前側封止チャンバ２３のための出口開口部１９を含んでおり、該前側封止チャンバが、より大きい中間チャンバ２４と連通し、該中間チャンバが、管状部分２０および通路２２の後端に拡大した入口２８を形成する、さらに大きい後側チャンバ２６と連通する。
【００１１】
グロメット１０は、封止スリーブ１８の後側部分に一体に取り付けられた一端を有する、圧潰可能な鐘形壁３０をさらに含む。この圧潰可能な鐘形壁３０は、図４、図５、および図６から最もよくわかるように、より大きい中間チャンバ２４とさらに大きい後側チャンバ２６の前側部分とを取り囲む傘状部分を形成する。
【００１２】
グロメット１０は、図８に示したように、鐘形壁３０の後端に、パネル穴１２の周りで据付パネル１４の環状縁部を受けるように成形された環状溝３６の両側の前側据付フランジ３２および後側据付フランジ３４を含む据付部分３１を有する。管状部分２０の外側に、一方では該管状部分２０によって、他方では鐘形壁３０および据付部分３１によって、開口端のアコースティックチャンバ３８が形成される。
【００１３】
グロメット１０は、図３から最もよくわかるように、管４２および４４を納めるように成形された管状部分２０の直径の両端に、アコースティックチャンバ３８を貫通する軸方向に配向した一体の２本の管４２および４４を有する。管４２および４４は、通路２２を貫通する電線束１６または他の非円形部材に加えて、単一の電線などの円形部材をグロメットに挿通するための任意機構である。この点で、管が使用されるまで管を閉鎖するために、管の一方または両方に分離可能な端部キャップ（図４に示した分離可能な一体型の端部キャップ４６など）を設けることができる。
【００１４】
前側据付フランジ３２は、必然的に、支持パネル１４を貫通して延びるパネル穴１２の外径よりも大きい外径を有する。したがって、概ね鐘形の壁３０は、圧潰可能である。より具体的には、図７から最もよくわかるように、概ね鐘形の壁３０は、ほぼ均一な厚さで周方向に波状の形をした中間部分を有する。この中間部分は、パネル穴１２に強く挿入されると圧潰して、前側据付フランジ３２を支持パネル１４内のパネル穴１２に挿入するのを容易にする。
【００１５】
圧潰可能なグロメット１０が図８に示したようにパネル穴１２内に据え付けられるときには、図８から最もよくわかるように、中間チャンバ２４内の電線束の部分をポッティング処理するポリウレタンなどの適切な封止材で中間チャンバ２４を満たすことによって、通路２２が封止されることが好ましい。電線束が、中間チャンバ２４の最小断面積の４０％以下の断面積を有することが好ましい。封止スリーブ１８には、また、電線束１６の周りを封止するために、前側チャンバ内に突き出た封止リブ４８が含まれることが好ましい。
【００１６】
後側据付フランジ３４は、管状部分２０の外側に径方向に離隔された内径部５０を有する。直径の両端にある２つの薄肉弓形フラップ５２が、後側据付フランジ３４の内径部５０から軸方向後方に延びる。これらのフラップ５２は、図９に示したように後側据付フランジ３４をテープ５４によって細長い管状部分２０に取り付けるという選択肢を提供する。テープ５４による取付けは、アコースティックチャンバ３８を封止し、かつ／または据付穴１２でのグロメット１０の保持力を増大させる。
【００１７】
圧潰可能なグロメット１０を電線束１６と併せて示したが、この圧潰可能なグロメット１０は、パネル内の穴を貫通する任意の部材の周りを封止するために使用することができる。換言すれば、好ましい諸実施形態および選択肢を示し、かつ記載してきたが、冒頭の特許請求の範囲およびその同等物によって定義される本発明の範囲から逸脱することなく、様々な変更および修正を実施できることが当業者には明らかである。
【図面の簡単な説明】
【００１８】
【図１】本発明を具現化する圧潰可能なグロメットの正面図である。
【図２】図１に示した圧潰可能なグロメットの側面図である。
【図３】図１に示した圧潰可能なグロメットの背面図である。
【図４】ほぼ図１の線４−４に沿った、矢印の方向に見た縦断面図である。
【図５】ほぼ図１の線５−５に沿った、矢印の方向に見た縦断面図である。
【図６】ほぼ図１の線６−６に沿った、矢印の方向に見た縦断面図である。
【図７】ほぼ図２の線７−７に沿った、矢印の方向に見た断面図である。
【図８】支持パネル内に据え付けられてポッティング処理された、図１のグロメットの縦断面図である。
【図９】後側据付フランジをテープによって細長い管状部分に取り付ける実施形態を示す縦断面図である。
【符号の説明】
【００１９】
１０  グロメット
１２  パネル穴
１４  支持パネル
１６  電線束
１８  封止スリーブ
１９  出口開口部
２０  管状部分
２２  通路
２３  前側封止チャンバ
２４  中間チャンバ
２６  後側チャンバ
２８  入口
３０  鐘形壁
３１  据付部分
３２  前側据付フランジ
３４  後側据付フランジ
３８  アコースティックチャンバ
４２、４４  管
４６  端部キャップ
４８  封止リブ
５２  薄肉弓形フラップ
５４  テープ
【図１】
2006217788.tif 000003
【図２】
2006217788.tif 000004
【図３】
2006217788.tif 000005
【図４】
2006217788.tif 000006
【図５】
2006217788.tif 000007
【図６】
2006217788.tif 000008
【図７】
2006217788.tif 000009
【図８】
2006217788.tif 000010
【図９】
2006217788.tif 000011